(57)【要約】      （修正有）【課題】浴槽内の水を有効に活用する。【解決手段】１．おおむね円みを有した平形立方体になっている「節水スリムバスポンプノズルヘッド・ホース一体形（全自動洗濯機用）」本体１を従来のバスポンプホース（全自動洗濯機用）の先端部（浴槽水吸水側）に取り付ける。２．吸水孔２は、「節水スリムバスポンプノズルヘッド・ホース一体形（全自動洗濯機用）」短側面５の半球体形部に設ける。３．浴槽内の水中に投入すると、おおむね円みを有した平形立方体の広い面４を底面にして沈下し、浴槽内の底部に略平行着座する。４．この状態で、吸水孔を有した短側面半球体形部の厚さと浴槽内の水位が同一になるまで機能する。【選択図】図１
0003136511.tif 000002
【実用新案登録請求の範囲】
【請求項１】
（１）  おおむね円みを有した平形立方体になっている「節水スリムバスポンプノズルヘッド・ホース一体形（全自動洗濯機用）」を構成する材質は、耐水耐腐食で水より比重が大きい。
（２）  おおむね円みを有した平形立方体になっている「節水スリムバスポンプノズルヘッド・ホース一体形（全自動洗濯機用）」の短側面は、半球体形になっている。
（３）  おおむね円みを有した平形立方体になっている「節水スリムバスポンプノズルヘッド・ホース一体形（全自動洗濯機用）」の吸水孔は、「節水スリムバスポンプノズルヘッド・ホース一体形（全自動洗濯機用）」短側面の半球体形部に設ける。
（４）  おおむね円みを有した平形立方体になっている「節水スリムバスポンプノズルヘッド・ホース一体形（全自動洗濯機用）」を浴槽内の水中に投入したとき、おおむね円みを有する平形立方体になっている「節水スリムバスポンプノズルヘッド・ホース一体形（全自動洗濯機用）」は、おおむね円みを有した平形立方体の広い面を底面にして沈下し、略平行に着座する。
（５）  おおむね円みを有した平形立方体になっている「節水スリムバスポンプノズルヘッド・ホース一体形（全自動洗濯機用）」の短側面は半球体形なので、浴槽内の水中に投入沈下したとき短側面を底面にして浴槽内の底部に着座しない。
（６）  「節水スリムバスポンプノズルヘッド・ホース一体形（全自動洗濯機用）」は、「節水スリムバスポンプノズルヘッド・ホース一体形（全自動洗濯機用）」短側面の厚さと浴槽内の水位が同一になるまで機能する。
以上の如く構成された考案である。
【考案の詳細な説明】
【考案の詳細な説明】
【産業上の利用分野】
【０００１】  おおむね円みを有した平形立方体になっている「節水スリムバスポンプノズルヘッド・ホース一体形（全自動洗濯機用）」は、浴槽内の水を有効に活用する。
【背景技術】
【０００２】（１）  従来のバスポンプノズルヘッド・ホース一体形（全自動洗濯機用）は殆が半球体の直立形なので、従来のバスポンプノズルヘッドホース一体形（全自動洗濯機用）を浴槽内の水中に投入したとき横倒しになることが多かった。
（２）  この状態で浴槽内の水を吸い上げる機能は、横倒しになったバスポンプノズルヘッド・ホース一体形（全自動洗濯機用）の高さが限度であった。
【考案が解決しようとする課題】
【０００３】（１）  おおむね円みを有した平形立方体になっている「節水スリムバスポンプノズルヘッド・ホース一体形（全自動洗濯機用）」を浴槽の水中に投入したとき、おおむね円みを有した平形立方体の広い面を底面にして沈下し、浴槽内の底部に略平行着座する。
（２）  おおむね円みを有した平形立方体になっている「節水スリムバスポンプノズルヘッド・ホース一体形（全自動洗濯機用）」の吸水孔は、「節水スリムバスポンプノズルヘッド・ホース一体形（全自動洗濯機用）」短側面の半球体形部に設ける。
（３）  おおむね円みを有した平形立方体になっている「節水スリムバスポンプノズルヘッド・ホース一体形（全自動洗濯機用）」は従来の技術で不可能だった問題点を解決して、浴槽内の水をより低水位まで吸い上げることを可能にする。
【課題を解決するための手段】
【０００４】  いま、課題を解決するための手段を説明すると
（１）  おおむね円みを有した平形立方体になっている「節水スリムバスポンプノズルヘッド・ホース一体形（全自動洗濯機用）」を構成する材質は、耐水耐腐食で水より比重が大きい。
（２）  おおむね円みを有した平形立方体になっている「節水スリムバスポンプノズルヘッド・ホース一体形（全自動洗濯機用）」の短側面は、半球体形になっている。
（３）  おおむね円みを有した平形立方体になっている「節水スリムバスポンプノズルヘッド・ホース一体形（全自動洗濯機用）」の吸水孔は、「節水スリムバスポンプノズルヘッド・ホース一体形（全自動洗濯機用）」短側面の半球体形部に設ける。
（４）  おおむね円みを有した平形立方体になっている「節水スリムバスポンプノズルヘッド・ホース一体形（全自動洗濯機用）」を浴槽内の水中に投入ししたとき、おおむね円みを有した平形立方体の広い面を底面にして沈下し、浴槽内の底部に略平行着座する。
（５）  おおむね円みを有した平形立方体になっている「節水スリムバスポンプノズルヘッド・ホース一体形（全自動洗濯機用）」はフィルターが挿入できる構造になっている。
（６）  おおむね円みを有した平形立方体になっている「節水スリムバスポンプノズルヘッド・ホース一体形（全自動洗濯機用）」はフィルター交換が可能な構造になっている。
以上です。
【作用と実施例】
【０００５】  次に、おおむね円みを有した平形立方体になっている「節水スリムバスポンプノズルヘッド・ホース一体形（全自動洗濯機用）」の作用と実施例を述べる。
（１）  おおむね円みを有した平形立方体になっている「節水スリムバスポンプノズルヘッド・ホース一体形（全自動洗濯機用）」を従来のバスポンプホース（全自動洗濯機用）の先端部（浴槽水吸水側）に取り付ける。
（２）  吸水孔は、おおむね円みを有した平形立方体になっている「節水スリムバスポンプノズルヘッド・ホース一体形（全自動洗濯機用）」短側面の半球体形部に設ける。
（３）  浴槽内の水中に、おおむね円みを有した平形立方体になっている「節水スリムバスポンプノズルヘッド・ホース一体形（全自動洗濯機用）」を投入すると、おおむね円みを有した平形立方体の広い面を底面にして沈下し、浴槽内の底部に略平行着座する。
（４）  この状態で、おおむね円みを有した平形立方体になっている「節水スリムバスポンプノズルヘッド・ホース一体形（全自動洗濯機用）」は、吸水孔を有した短側面半球体形部の厚さと浴槽内の水位が同一になるまで機能する。
【考案の効果】
【０００６】  おおむね円みを有した平形立方体になっている「節水スリムバスポンプノズルヘッド・ホース一体形（全自動洗濯機用）」考案の効果は、
（１）  おおむね円みを有した平形立方体になっている「節水スリムバスポンプノズルヘッド・ホース一体形（全自動洗濯機用）」を浴槽内の水中に投入したとき、おおむね円みを有した平形立方体になっている「節水スリムバスポンプノズルヘッド・ホース一体形（全自動洗濯機用）」は、おおむね円みをゆうした平形立方体の広い面を底面にして沈下し、浴槽内の底部に略平行着座する。
（２）  おおむね円みを有した平形立方体になっている「節水スリムバスポンプノズルヘッド・ホース一体形（全自動洗濯機用）」は、「節水スリムバスポンプノズルヘッド・ホース一体形（全自動洗濯機用）」短側面の厚さと浴槽内の水位が同一になるまで機能する。
したがって浴槽内の水を有効に活用する。
【図面の簡単な説明】
【図１】本考案の正面図
【図２】本考案の側面図
【図３】本考案の平面図
【図４】本考案の用語理解を容易にするための斜視図である。
【符号の説明】
［図１］〜［図４］の
１はおおむね円みを有する平形立方体になっている「節水スリムバスポンプノズルヘッド・ホース一体形（全自動洗濯機用）」本体
２は吸水孔
３はバスポンプホース
４はおおむね円みを有した平形立方体になっている「節水スリムバスポンプノズルヘッド・ホース一体形（全自動洗濯機用）」の広い面
５はおおむね円みを有した平形立方体になっている「節水スリムバスポンプノズルヘッド・ホース一体形（全自動洗濯機用）」の短側面
６はフイルター挿入部
７はフィルター交換が可能な構造部
【図１】
0003136511.tif 000003
【図２】
0003136511.tif 000004
【図３】
0003136511.tif 000005
【図４】
0003136511.tif 000006